(57)【要約】【課題】パネルの蝶番部での指詰めを防止し、かつ美観の低下及び光洩れを確実に防止し得る折戸を提供する。【解決手段】複数枚のパネル１ａ〜１ｄを引き違い操作可能に支持し、各パネル１ａ〜１ｄにはそれぞれ取っ手７ａ，７ｃを備えた折引戸において、取っ手７ａ，７ｃは、レバー部１０と該レバー部をパネルに支持する取付部８ａ，８ｂとから構成し、取付部８ａ，８ｂはレバー部１０よりパネルの引き違い方向に突出させた。【選択図】        図１
2004183210.tif 000002
【特許請求の範囲】
【請求項１】
複数枚のパネルを引き違い操作可能に支持し、前記各パネルにはそれぞれ取っ手を備えた折引戸において、
前記取っ手は、レバー部と該レバー部をパネルに支持する取付部とから構成し、前記取付部は前記レバー部よりパネルの引き違い方向に突出させたことを特徴とする引戸。
【請求項２】
前記取付部は、基端部を前記パネルに固定するとともに、先端部で前記レバー部の上下両端部を支持し、前記先端部を前記レバー部よりパネルの引き違い方向に突出させたことを特徴とする請求項１記載の引戸。
【請求項３】
前記各パネルを蝶番部で折り畳み可能に支持し、前記取付部の先端部はパネル面に沿って延設して、前記レバー部をパネルの幅方向中央部にオフセットして支持したことを特徴とする請求項２記載の引戸。
【請求項４】
前記取っ手は、前記各パネルの一側の前後両面に設けたことを特徴とする請求項１乃至３のいずれかに記載の引戸。
【請求項５】
前記取付部は、前記レバー部を垂直方向に支持したことを特徴とする請求項１乃至４のいずれかに記載の引戸。
【発明の詳細な説明】
【０００１】
【発明の属する技術分野】
この発明は、パネルを引き違い操作可能に支持する引戸に関するものである。
【０００２】
【従来の技術】
従来、複数枚のパネルを引き違い操作可能に支持した引戸が屋内外で使用されている。
【０００３】
このような引戸では、各パネルの移動操作を行うために、各パネルの一側部に取っ手が設けられたものがある。
上記のような取っ手を備えた引戸は、例えば特許文献１あるいは特許文献２に開示されている。
【０００４】
【特許文献１】
特開２００１−３２９７５６
【特許文献２】
実開昭６１−１５２６８７
【０００５】
【発明が解決しようとする課題】
特許文献１に記載された引戸では、外戸に設けられた取っ手の支持脚が長くなり、美観上好ましくない。
【０００６】
特許文献２に記載された引戸では、その開放操作時に取っ手と引戸との間で指を挟む（指詰）おそれがある。
この発明の目的は、指詰を防止しながら、美観を向上させ得る引戸を提供することにある。
【０００７】
【課題を解決するための手段】
請求項１では、複数枚のパネルを引き違い操作可能に支持し、前記各パネルにはそれぞれ取っ手を備えた折引戸において、前記取っ手は、レバー部と該レバー部をパネルに支持する取付部とから構成し、前記取付部は前記レバー部よりパネルの引き違い方向に突出させた。
【０００８】
請求項２では、前記取付部は、基端部を前記パネルに固定するとともに、先端部で前記レバー部の上下両端部を支持し、前記先端部を前記レバー部よりパネルの引き違い方向に突出させた。
【０００９】
請求項３では、前記各パネルを蝶番部で折り畳み可能に支持し、前記取付部の先端部はパネル面に沿って延設して、前記レバー部をパネルの幅方向中央部にオフセットして支持した。
【００１０】
請求項４では、前記取っ手は、前記各パネルの一側の前後両面に設けた。
請求項５では、前記取付部は、前記レバー部を垂直方向に支持した。
【００１１】
【発明の実施の形態】
以下、この発明を具体化した折引戸の一実施の形態を図面に従って説明する。図１及び図５に示すように、折引戸はパネル１ａ〜１ｄが天井面に設けられる２本のハンガーレール２ａ，２ｂと、床面に設けられる２本の案内レール３ａ，３ｂに沿って引き違い操作可能に支持される。
【００１２】
すなわち、パネル１ａ，１ｂは、その上縁部の幅方向中央部がランナー４ａ，４ｂを介してハンガーレール２ａに支持され、下縁部の幅方向中央部がランナー５ａ，５ｂを介して案内レール３ａに支持されている。
【００１３】
同様に、パネル１ｃ，１ｄは、その上縁部の幅方向中央部がランナー４ｃ，４ｄを介してハンガーレール２ｂに支持され、下縁部の幅方向中央部がランナー５ｃ，５ｄを介して案内レール３ｂに支持されている。
【００１４】
前記パネル１ａ，１ｂは、蝶番部６ａを介して回動可能に連結され、前記パネル１ｃ，１ｄは、蝶番部６ｂを介して回動可能に連結されている。
従って、図５に示すように各パネル１ａ，１ｂ及び同１ｃ，１ｄを回動させると、同パネル１ａ〜１ｄをハンガーレール２ａの一側に畳み込み可能となっている。
【００１５】
前記パネル１ａの一側には、取っ手７ａ，７ｂが同パネル１ａの前後両面に設けられている。また、前記パネル１ｄの他側には、取っ手７ｃ，７ｄが同パネル１ｄの前後両面に設けられている。
【００１６】
前記取っ手７ａ〜７ｄは、同様な構成である。すなわち、一対の取付部８ａ，８ｂの基端部が各パネル１ａ，１ｄの縦枠９ａ，９ｂに固定され、各取付部８ａ，８ｂはパネル１ａ，１ｄの表面に沿ってパネル１ａ，１ｂの中央部に向かって水平方向に延設される。
【００１７】
そして、前記取付部８ａ，８ｂの先端部間には、丸棒状のレバー部１０が垂直方向に支持されている。
前記取付部８ａ，８ｂに対する前記レバー部１０の取付位置は、取付部８ａ，８ｂの先端から基端側へ所定の間隔を隔てた位置である。この所定の間隔は、レバー部１０を把持したとき、操作者の手が取付部８ａ，８ｂの先端を結ぶ線を越えないようにする間隔である。
【００１８】
また、パネルの厚さは縦枠９ａ，９ｂの厚さより小さいので、レバー部１０とパネル面との間隔は、指を挿入するために十分な間隔が確保されている。
図２及び図４に示すように、取っ手７ａはパネル１ｃ，１ｄの軌道上に位置し、取っ手７ｄはパネル１ａ，１ｂの軌道上に位置する。
【００１９】
さて、上記のように構成された折引戸では、取っ手７ａ，７ｂを操作して、パネル１ａ〜１ｄをハンガーレール２ａ，２ｂに沿って移動させ、図１及び図２に示すように、パネル１ａ，１ｄの端部を壁面１１ａ，１１ｂに当接させると、パネル１ａ〜１ｄにより壁面１１ａ，１１ｂ間が閉じられる。
【００２０】
また、例えばパネル１ｄの取っ手７ｃを操作して、パネル１ｃ，１ｄを壁面１１ａ側に移動させると、図３及び図４に示すように、やがて取っ手７ａがパネル１ｃの端部に当接して、パネル１ｃ，１ｄの同方向へのそれ以上の移動が阻止される。この状態では、壁面１１ａ，１１ｂ間がほぼ半分開放される。
【００２１】
このようなパネル１ｃ，１ｄの開放操作時に、取っ手７ｄを操作してパネル１ｃ，１ｄを最大限開放すると、図４に示すように、取っ手７ｄがパネル１ｂの端部に当接する。
【００２２】
このとき、取っ手７ｄのレバー部１０は、取っ手７ｄの先端より上記間隔で後退しているので、レバー部１０とパネル１ｂの端部との間で指を挟むことはない。
【００２３】
パネル１ａ，１ｂをハンガーレール２ａの一方へ移動させて互いに回動させ、さらにパネル１ｃ，１ｄをハンガーレール２ｂの一方に移動させて互いに回動させると、図５に示すように、パネル１ａ〜１ｄが畳み込まれる。
【００２４】
この状態では、取っ手７ｂがパネル１ｂに当接し、取っ手７ｄがパネル１ｃに当接する状態となる。
上記のように構成された折引戸では、次に示す作用効果を得ることができる。
（１）各パネル１ａ〜１ｄをハンガーレール２ａ，２ｂ及び案内レール３ａ，３ｂに沿って引き違い操作するとき、レバー部１０を握った指を他のパネルの端部との間で挟むことはない。従って、指詰を防止することができる。
（２）取っ手７ａ〜７ｄは、その取付部８ａ，８ｂがパネル１ａ，１ｄの表面に沿う方向に延設されている。従って、取っ手７ｂ，７ｄのパネル面からの突出量を少なくして、美観を向上させることができる。
（３）取っ手７ｂ，７ｄを含むパネル１ａ，１ｄの厚さを縮小することができるので、パネル１ａ〜１ｄを回動させて畳み込むとき、その畳み込み寸法を縮小することができる。
（４）レバー部１０は、縦枠９ａ，９ｂからパネル１ａ，１ｄの幅方向中央部にオフセットされているので、パネル１ａ，１ｄを壁面１１ａ，１１ｂに当接させたとき、壁面１１ａ，１１ｂとレバー部１０との間隔を十分に確保することができる。従って、レバー部１０を容易に把持することができる。
【００２５】
上記実施の形態は、次に示すように変更することもできる。
・取っ手７ｂ，７ｄを引戸に設けてもよい。
【００２６】
【発明の効果】
以上詳述したように、この発明は指詰を防止しながら、美観を向上させ得る引戸を提供することができる。
【図面の簡単な説明】
【図１】折引戸を示す正面図である。
【図２】折引戸を示す平面図である。
【図３】パネルを移動させた状態を示す正面図である。
【図４】パネルを移動させた状態を示す平面図である。
【図５】パネルを畳み込んだ状態を示す平面図である。
【符号の説明】
１ａ〜１ｄ        パネル
７ａ〜７ｄ        取っ手
８ａ，８ｂ        取付部
１０              レバー部
【図１】
2004183210.tif 000003
【図２】
2004183210.tif 000004
【図３】
2004183210.tif 000005
【図４】
2004183210.tif 000006
【図５】
2004183210.tif 000007